(57)【要約】      （修正有）【課題】予約調理をして外出した場合に、帰宅時刻と予約時刻とがずれた場合であっても、使用者は調理済みの料理を常に暖かいうちに食することができる加熱調理器を提供すること。【解決手段】屋内に設置され、通信ネットワーク１０２を介してサーバ２００と通信可能に接続される加熱調理器１であって、予め登録された使用者の帰宅時刻と、予約設定部によって設定された予約時刻とがずれている場合、予約時刻の変更の指示または完成した料理を保温する保温機能を実行する調理制御を行なう調理制御部と、を備えている。【選択図】図１
2019000162.tif 000002
【特許請求の範囲】
【請求項１】
屋内に設置され、通信ネットワークを介してサーバと通信可能に接続される加熱調理器であって、
指定されたメニューの調理の終了を規定する予約時刻を設定する予約設定部と、
上記サーバを介して上記加熱調理器に予め登録された使用者の帰宅時刻を取得し、取得した帰宅時刻と、上記予約設定部によって設定された予約時刻とがずれている場合、上記予約設定部への予約時刻の変更の指示または完成した料理を保温する保温機能を実行する調理制御を行なう調理制御部と、を備えていることを特徴とする加熱調理器。
【請求項２】
上記調理制御部は、
取得した帰宅時刻が、上記予約設定部によって設定された予約時刻よりも早い場合、取得した上記帰宅時刻を、上記予約設定部に対して新たな予約時刻として設定させることを特徴とする請求項１に記載の加熱調理器。
【請求項３】
上記調理制御部は、
取得した帰宅時刻が、上記予約設定部によって設定された予約時刻よりも遅い場合、上記帰宅時刻まで、調理終了の料理を保温するための上記保温機能を実行することを特徴とする請求項１または２に記載の加熱調理器。
【請求項４】
通信ネットワークを介してサーバと通信可能で、且つ自装置の位置を示す位置情報を取得する位置情報取得部を備え、請求項１〜３の何れか１項に記載の加熱調理器と上記サーバを介して通信可能な携帯端末装置であって、
上記位置情報取得部によって取得した自装置の位置が、予め設定した領域内に含まれている場合に、現在の時刻から上記加熱調理器が設置された屋内に戻る帰宅時刻を算出する帰宅時刻算出部を備え、
上記帰宅時刻算出部によって算出された帰宅時刻を、当該加熱調理器に送信することを特徴とする携帯端末装置。
【請求項５】
通信ネットワークを介してサーバと通信可能で、且つ自装置の位置を示す位置情報を取得する位置情報取得部を備え、請求項１〜３の何れか１項に記載の加熱調理器と上記サーバを介して通信可能な携帯端末装置であって、
上記位置情報取得部によって所定の間隔で取得した自装置の複数の位置が、予め設定したルートに含まれていない場合、最後に自装置の位置を取得した時刻から上記加熱調理器が設置された屋内に戻る帰宅時刻を算出する帰宅時刻算出部を備え、
上記帰宅時刻算出部によって算出された帰宅時刻を、当該加熱調理器に送信することを特徴とする携帯端末装置。
【請求項６】
上記加熱調理器の周囲であって、予め設定された範囲内で人の動作を検出する人感センサと、
上記人感センサによって人の動作を検出したとき、所定の情報を報知する報知部と、をさらに備えていることを特徴とする請求項１〜３の何れか１項に記載の加熱調理器。
【請求項７】
上記報知部が報知する情報は、上記加熱調理器を使用する使用者の趣味や嗜好に合わせた情報であることを特徴とする請求項６に記載の加熱調理器。
【請求項８】
上記報知が報知する情報は、画像情報、音声情報の少なくとも一方の情報であることを特徴とする請求項６または７に記載の加熱調理器。
【請求項９】
音声を入力するためのマイクを備え、
上記加熱調理器の底面に形成される空間に集音部が露出するように上記マイクが配置され、当該底面に、配置したマイクより正面側が開放されるように、当該マイク周囲を囲む遮音壁が形成されていることを特徴とする請求項１〜３，６〜８の何れか１項の加熱調理器。
【請求項１０】
屋内に設置された他の電子機器と通信するための通信部と、
上記通信部により他の電子機器の電力消費シーケンス情報を受信し、受信した他の電子機器の電力消費シーケンス情報を考慮して、屋内で消費される総電力量の上限を超えないように、自装置の電力消費シーケンスを調整する調整部と、をさらに備えていることを特徴とする請求項１〜３，６〜９の何れか１項に記載の加熱調理器。
【発明の詳細な説明】
【技術分野】
【０００１】
本発明は、予約調理等の複数種類の機能を有する加熱調理器に関する。
【背景技術】
【０００２】
従来、加熱調理を行う加熱調理器には、調理を終了する時刻を予約できるものがある。例えば、特許文献１には、一旦設定した誤った予約時刻をキャンセルすることなく、予約時刻の設定内容の変更を受け付ける加熱調理器が記載されている。
【先行技術文献】
【特許文献】
【０００３】
【特許文献１】特開２００７−２２２２０１号公報（２００７年９月６日公開）
【発明の概要】
【発明が解決しようとする課題】
【０００４】
しかしながら、上記の従来技術は、加熱調理器に対する直接の操作によって、予約時刻の変更を行うようになっている。つまり、加熱調理器を使用する使用者自身が予約時刻の変更のための操作を行なわなければならない。しかも、外出先や加熱調理器から離れた場所から予約時刻を変更することができない。
【０００５】
通常、外出先から帰宅した場合、帰宅時刻が予約時刻と同じ場合には、調理済みの料理を暖かいうちに食することができる。しかしながら、帰宅時刻が予約時刻よりも早い場合、帰宅後に調理済みの料理を直ぐに食することができず、また、帰宅時刻が予約時刻よりも遅い場合、調理済みの料理が冷めるという問題が生じる。
【０００６】
このように、従来の加熱調理器では、予約調理をして外出した場合、外出先から帰宅する帰宅時刻によっては調理済みの料理を暖かいうちに食せない場合がある。
【０００７】
本発明の一態様は、予約調理をして外出した場合に、帰宅時刻と予約時刻とがずれた場合であっても、使用者は調理済みの料理を常に暖かいうちに食することができる加熱調理器を提供することを目的とする。
【課題を解決するための手段】
【０００８】
上記の課題を解決するために、本発明の一態様に係る加熱調理器は、屋内に設置され、通信ネットワークを介してサーバと通信可能に接続される加熱調理器であって、指定されたメニューの調理の終了を規定する予約時刻を設定する予約設定部と、上記サーバを介して上記加熱調理器に予め登録された使用者の帰宅時刻を取得し、取得した帰宅時刻と、上記予約設定部によって設定された予約時刻とがずれている場合、上記予約設定部への予約時刻の変更の指示または完成した料理を保温する保温機能を実行する調理制御を行なう調理制御部と、を備えていることを特徴としている。
【発明の効果】
【０００９】
本発明の一態様によれば、予約調理をして外出した場合に、帰宅時刻と予約時刻とがずれた場合であっても、使用者は調理済みの料理を常に暖かいうちに食することができるという効果を奏する。
【図面の簡単な説明】
【００１０】
【図１】本発明の実施形態１に係る通信システムの構成を示すブロック図である。
【図２】図１に示す加熱調理器の外観の構成を示す斜視図である。
【図３】図１に示す加熱調理器の内部の構成を示す斜視図である。
【図４】図１に示す加熱調理器の制御系の構成を示すブロック図である。
【図５】図１に示す加熱調理器のシステム構成を示すブロック図である。
【図６】図１に示す携帯端末装置のハードウェア構成を示すブロック図である。
【図７】図１に示す携帯端末装置のシステム構成を示すブロック図である。
【図８】図１に示す携帯端末装置における帰宅時刻算出処理の流れを示すフローチャートである。
【図９】図１に示す加熱調理器における予約時刻変更処理の流れを示すフローチャートである。
【図１０】本発明の実施形態２に係る通信システムの構成を示すブロック図である。
【図１１】図１０に示す加熱調理器の外観の構成を示す斜視図である。
【図１２】図１０に示す加熱調理器の制御系の構成を示すブロック図である。
【図１３】図１０に示す加熱調理器のシステム構成を示すブロック図である。
【図１４】図１０に示す加熱調理器における広告表示処理の流れを示すフローチャートである。
【図１５】（ａ）は、本発明の実施形態３に係る加熱調理器の平面図、（ｂ）は、（ａ）のＸ・Ｘ線矢視断面図である。
【図１６】本実施形態３に係る加熱調理器の底面図である。
【図１７】本発明の実施形態４に係る家電システムの概略構成図である。
【図１８】図１に示す加熱調理器のシステム構成を示すブロック図である。
【発明を実施するための形態】
【００１１】
〔実施形態１〕
以下、本発明の実施の形態について、詳細に説明する。
【００１２】
まず、本実施形態に係る通信システムの概略構成について説明する。
【００１３】
（通信システム）
図１は、本実施形態に係る通信システムの構成を示すブロック図である。図１に示すように、通信システムは、加熱調理器１と、クラウドサーバ２００（サーバ）と、携帯端末装置３００と、無線ＬＡＮアクセスポイント１０１と、インターネット１０２（通信ネットワーク）と、データ通信ネットワーク１０３と、基地局１０４とを含んで構成されている。
【００１４】
加熱調理器１は、無線ＬＡＮ（Local Area Network）に接続して通信を行う機能を備えている。無線ＬＡＮアクセスポイント１０１は、加熱調理器１とともに建屋４００内に設置された電波中継機である。
【００１５】
クラウドサーバ２００は、加熱調理器１に関する情報、特にメニューに関するメニュー情報を登録している。クラウドサーバ２００は、インターネット１０２に接続されており、インターネット１０２を介して加熱調理器１および携帯端末装置３００と通信することができる。
【００１６】
携帯端末装置３００は、スマートフォン、タブレットなどの携帯型の端末装置であり、無線ＬＡＮを含むインターネット通信の機能を備えている。携帯端末装置３００は、携帯電話ネットワークに含まれる基地局１０４およびデータ通信ネットワーク１０３を介してインターネット１０２と接続される。あるいは、携帯端末装置３００は、図示しない公衆無線ＬＡＮアクセスポイントを介してインターネット１０２と接続される。また、携帯端末装置３００は、建屋４００内において、無線ＬＡＮアクセスポイント１０１と接続可能
であり、無線ＬＡＮアクセスポイント１０１を介してもインターネット１０２と接続される。
【００１７】
続いて、加熱調理器１について詳細に説明する。
【００１８】
（加熱調理器１）
図２は、加熱調理器１の外観の構成を示す斜視図である。図３は、加熱調理器１の内部の構成を示す斜視図である。
【００１９】
図２および図３に示すように、加熱調理器１は、本体部２と、蓋体３と、内鍋４とを備えている。
【００２０】
図３に示すように、本体部２は、内部に内鍋４を収容する筐体（外鍋）である。本体部２は、外ケース２１と、内ケース２２とを有している。外ケース２１は外装体である。
【００２１】
電源コードは、外ケース２１の例えば背面側に設けられている。外ケース２１と内ケース２２との間の空間の背面側には、図示はしないが、電源回路やインバータ回路等を含む電源部、上記の電源コードを巻き取るコードリール等が配置されている。
【００２２】
内ケース２２は、外ケース２１の内側に配置され、その内部に内鍋４を保持する。内ケース２２は、耐熱性および電気絶縁性を有する材料で形成されている。
【００２３】
内ケース２２には、内鍋４を加熱する誘導コイル５および後述する内鍋４の温度を検出する温度センサ６が設けられている。誘導コイル５は、本体部２の内部に内鍋４を収容した状態で内鍋４に接触する位置に配置されている。温度センサ６は、本体部２の内部に内鍋４を収容した状態で内鍋４に接触する位置に配置されている。
【００２４】
蓋体３は、外蓋３１、内蓋３２および撹拌機構３３を備えている。外蓋３１は、ヒンジ部７を介して外ケース２１に組み付けられている。これにより、蓋体３は、内鍋４の開口部４ａを開閉するように、本体部２に回動可能に支持されている。
【００２５】
内蓋３２は、外蓋３１における内鍋４との対向面側に、着脱可能に取り付けられている。内蓋３２の一部には、ガラスあるいは透明樹脂等の透明材料からなる透明部３２ａが設けられている。
【００２６】
一方、外蓋３１における透明部３２ａと重なる部分には、透明部３２ａの少なくとも一部を露出させる窓部３１ａが設けられている。窓部３１ａは、貫通口もしくはガラスや透明樹脂等の透明材料からなり、透明部３２ａを介して内鍋４の内部を確認することができるようになっている。
【００２７】
また、外蓋３１の上面には、操作および表示のための操作表示部３４が設けられている。操作表示部３４は、表示パネル３４１と、スタート・決定ボタン３４２と、第１送りボタン３４３と、第２送りボタン３４４と、戻るボタン３４５と、問合せボタン３４６と、取消しボタン３４７と、予約ボタン３４８とを有している。
【００２８】
表示パネル３４１は、ユーザが選択する各項目を表示するために設けられている。項目としては、メニュー、設定、再加熱等が挙げられる。表示パネル３４１には、複数の項目が１つの画面に表示されている。当該画面においては、複数の項目のうちの１つが選択されていることを示すように、文字と背景とが他の項目と反転した状態で表示されている（反転表示）。また、表示パネル３４１は、複数の項目が１つの画面で表示しきれない場合は、複数の画面を切り替えて表示する。
【００２９】
スタート・決定ボタン３４２は、後述する予約調理を含む調理の開始を指示するための操作ボタンである。また、スタート・決定ボタン３４２は、表示パネル３４１に表示されている、ユーザの決定が必要な事項を決定するための操作ボタンとしても機能する。
【００３０】
第１送りボタン３４３は、表示パネル３４１に表示された項目を選択するために、上記の反転表示の位置を順方向に移動させる操作ボタンである。第１送りボタン３４３を１回押す操作が行われると、反転表示が後の項目に移動する。反転表示が画面の最後の項目にある状態で第１送りボタン３４３を１回押す操作が行われると、表示パネル３４１には次の画面が切り替わって表示される。
【００３１】
第２送りボタン３４４は、表示パネル３４１に表示された項目を選択するために、上記の反転表示の位置を逆方向に移動させる操作ボタンである。第２送りボタン３４４を１回押す操作が行われると、反転表示が後の項目に移動する。反転表示が画面の最後の項目にある状態で第２送りボタン３４４を１回押す操作が行われると、表示パネル３４１には前の画面が切り替わって表示される。
【００３２】
戻るボタン３４５は、前の画面に表示を戻す操作ボタンである。
【００３３】
上記の第１送りボタン３４３、第２送りボタン３４４および戻るボタン３４５は、項目を選択するための操作ボタン部３４９を構成している。
【００３４】
問合せボタン３４６は、クラウドサーバ２００への問い合わせ行うための操作ボタンである。
【００３５】
取消しボタン３４７は、操作ボタン部３４９を用いて操作した結果の設定などを取り消すための操作ボタンである。
【００３６】
予約ボタン３４８は、調理仕上がり時刻を予約する予約調理の設定を行うための操作ボタンである。この予約ボタン３４８を操作することによって、後述する予約受付部１１１（図５参照）が起動する。
【００３７】
蓋体３の内部には、制御基板８、モータ９およびスピーカ１０が設けられている。制御基板８は、後述する制御系の部品が実装された基板である。モータ９は、撹拌機構３３を回転させるための駆動源として設けられている。スピーカ１０は、後述するように音声を出力するために設けられている。
【００３８】
撹拌機構３３は、内蓋３２における内鍋４との対向面側に、着脱可能に取り付けられている。撹拌機構３３は、回転体３３３を備えるとともに、第１回転アーム３３１および第２回転アーム３３２を備えている。
【００３９】
撹拌機構３３は、図示しない回転軸により、内蓋３２を介して、外蓋３１に、回転可能に支持されている。回転軸は、図示しない駆動力伝達機構（プーリ、ベルト機構等）を介してモータ９の駆動軸に連結されている。
【００４０】
また、回転体３３３は、外蓋３１に着脱可能に取り付けられている。図示はしないが、回転体３３３における、外蓋３１との対向面側には、上記回転軸の一方の端部が突出して設けられている。上記回転軸は、一方の端部が外蓋３１における図示しない連結軸に着脱可能に連結されて、連結軸と一体に回転する。上記回転軸は、回転体３３３に対して回転可能となっている。
【００４１】
第１回転アーム３３１および第２回転アーム３３２は、それらの一端が、それぞれ回転体３３３に連結されており、回転体３３３とともに回転する。第１回転アーム３３１および第２回転アーム３３２は、それぞれ、図３に実線で示す倒伏状態と、図３に二点鎖線で示す起立状態とをとり得る。
【００４２】
蓋体３を閉め、第１回転アーム３３１および第２回転アーム３３２を、図３に矢印で示すように起立させた状態で回転させることにより、内鍋４に収容した被加熱物を撹拌することができる。加熱調理器１は、第１回転アーム３３１および第２回転アーム３３２により、内鍋４に収容した被加熱物を自動で撹拌することが可能である。
【００４３】
内鍋４の上部の外周縁部の一部には、第１把手部４１および第２把手部４２が、互いに対向して設けられている。第１把手部４１および第２把手部４２は、例えばプラスチック等、耐熱性および電気絶縁性を有する材料で形成される。
【００４４】
（制御系）
続いて、加熱調理器１の制御系について説明する。図４は、加熱調理器１の制御系の構成を示すブロック図である。
【００４５】
図４に示すように、加熱調理器１は、制御系の主要部として、ＣＰＵ１１と、ＲＯＭ（Read Only Memory）１２と、ＲＡＭ（Random Access Memory）１３とを備えている。また、加熱調理器１は、モータ９を駆動するモータ駆動回路１４と、スピーカ１０を駆動するスピーカ駆動回路１５と、時計回路１６と、通信部１７とを備えている。
【００４６】
ＣＰＵ１１は、ＲＯＭ１２に格納された制御プログラムを実行することによって、各部を制御する。具体的には、ＣＰＵ１１は、操作表示部３４の表示制御、操作表示部３４への操作の受け付け、誘導コイル５のオン・オフ制御および温度制御、モータ駆動回路１４およびスピーカ駆動回路１５の駆動制御、通信部１７の制御などを行なう。
【００４７】
モータ駆動回路１４は、ＣＰＵ１１から出力される駆動データに基づいてモータ９に印加する駆動電圧を生成する。また、スピーカ駆動回路１５は、ＣＰＵ１１から出力されるデジタルの音声データをアナログの音声信号に変換するＡ／Ｄ変換器、音声信号を増幅するアンプなどを含む回路である。時計回路１６は、現在時刻を提供するために設けられている。通信部１７は、無線ＬＡＮによる通信を行うための通信回路を含む部分である。
【００４８】
（加熱調理器１のシステム構成）
次に、加熱調理器１のシステム構成について説明する。
【００４９】
図５は、加熱調理器１のシステム構成を示すブロック図である。図５に示すように、加熱調理器１は、調理仕上がり時刻を予約設定する予約設定部１１０と、調理を制御する調理制御部１２０とを有している。
【００５０】
予約設定部１１０は、操作表示部３４を用いてユーザによって設定された調理の予約情報を受け付けて、クラウドサーバ２００に通知するとともに、携帯端末装置３００による予約情報の変更要求を受けて、予約情報を変更する。予約設定部１１０は、これらの機能を実現するために、予約受付部１１１と、予約登録部１１２と、予約変更部１１３とを有する。
【００５１】
予約受付部１１１は、ＲＯＭ１２に予め記憶されているメニューデータＭＤから、ユーザによって指定されたメニューに対応するメニューデータＭＤを読み出して、このメニューデータＭＤと、ユーザによって設定（予約）された調理仕上がり予定時刻（以降「予約時刻」と称する）の時刻データＴＤとを組み合わせた予約データＲＤ（予約情報）を生成する。また、予約受付部１１１は、生成した予約データＲＤを予約登録部１１２に送る。
【００５２】
ここで、メニューデータＭＤは、人数、材料、調理時間、調理パターン（加熱温度、撹拌機構３３の可動タイミングなど）、材料の投入タイミングといった、後述する調理制御部１２０が指定されたメニューの調理を実行するために各部を制御する各種の情報である。
【００５３】
予約登録部１１２は、予約受付部１１１によって生成された予約データＲＤをＲＡＭ１３に書き込む。
【００５４】
予約変更部１１３は、調理制御部１２０からの制御信号によって、予約時刻を変更する。
【００５５】
また、予約変更部１１３は、ユーザが操作表示部３４を操作することでも、予約時刻の変更が変更可能な時間条件を満たすときに、ＲＡＭ１３に記憶されている時刻データＴＤを要求に応じて書き替えるとともに、予約時刻を変更したメッセージを表示パネル３４１に表示させる。
【００５６】
調理制御部１２０は、ＲＡＭ１３に記憶されている予約データＲＤのメニューデータＭＤに基づいて、調理を実行するために各部を制御する。具体的には、調理制御部１２０は、温度センサ６による検出温度に基づいて内鍋４の温度を監視しており、内鍋４の温度がメニューデータＭＤに規定された所定の温度となるように、誘導コイル５のオン・オフおよび温度を制御する。また、調理制御部１２０は、メニューデータＭＤに規定されたメニューに応じて食材を撹拌するために撹拌機構３３を稼働させるときに、撹拌機構３３を回転させるタイミング、撹拌機構３３の回転方向などを制御するように、モータ駆動回路１４を制御する。また、調理制御部１２０は、調理における各タイミング（調理開始時、調理終了時、食材投入時、調理終了の規定時間前など）でユーザにそれぞれのタイミングに応じた報知音声をスピーカ１０が出力するように、スピーカ駆動回路１５を制御する。
【００５７】
調理制御部１２０は、調理における時間管理を行うために、時間管理部１２１を有している。時間管理部１２１は、予約データＲＤにおけるメニューデータＭＤ（調理時間）および時刻データＴＤから調理開始時刻を算出し、時計回路１６から出力される現在時刻に基づいて、調理開始時間に達したことを調理制御部１２０に通知する。また、時間管理部１２１は、メニューデータＭＤおよび現在時刻に基づいて、調理制御部１２０が上記のように誘導コイル５、モータ駆動回路１４およびスピーカ駆動回路１５を制御するタイミングを生成する。
【００５８】
調理制御部１２０は、予約ボタン３４８の操作後にスタート・決定ボタン３４２が操作されることによって、予約調理を開始し、通常の調理と同じように加熱調理を実行するように各部を制御する。また、調理制御部１２０は、予約調理において、加熱調理が終了すると、内鍋４の温度を加熱調理時の温度より低い一定の温度に維持させる保温状態となるように誘導コイル５を制御する。そして、調理制御部１２０は、保温状態から、予約時刻に料理が食べごろの温度になるまで再加熱するように誘導コイル５を制御する。従って、通常、予約調理を行なう場合、予約時刻は帰宅時刻に合わせて設定される。
【００５９】
加熱調理器１を用いない煮込み料理等の調理においては、通常、ユーザが付きっきりで食材をかき混ぜなければならない。これに対し、加熱調理器１を用いれば、調理制御部１２０が上記のように各部を制御することにより、内鍋４に食材を入れてスタート・決定ボタン３４２を押すだけで、自動的に食材の撹拌および内鍋４の温度調整を行って調理することができる。
【００６０】
引き続き、クラウドサーバ２００について説明する。クラウドサーバ２００は、インターネット１０２を介して加熱調理器１および携帯端末装置３００のいずれとも通信が可能である。
【００６１】
従って、加熱調理器１の調理制御部１２０は、クラウドサーバ２００を介して当該加熱調理器１に予め登録されていた使用者の携帯端末装置３００の現在位置の情報から得られる帰宅時刻を取得し、取得した帰宅時刻と、上記予約設定部１１０によって設定された予約時刻とを比較した結果に応じた調理制御を行なう。この調理制御の詳細は後述する。
【００６２】
引き続き、携帯端末装置３００について説明する。図６は、携帯端末装置３００のハードウェア構成を示すブロック図である。図７は、携帯端末装置３００のシステム構成を示すブロック図である。
【００６３】
まず、携帯端末装置３００のハードウェア構成について説明する。
【００６４】
携帯端末装置３００は、専用のＯＳ（Operating System）を実装した通信端末装置であり、以下のように、アプリケーションプログラムを実行する環境を備えている。
【００６５】
図６に示すように、携帯端末装置３００は、ＣＰＵ（Central Processing Unit）３０１と、ＲＡＭ（Random Access Memory）３０２と、ＲＯＭ（Read Only Memory）３０３と、補助メモリ３０４と、表示パネル３０５（表示部）と、タッチパネルを３０６と、スピーカ３０７と、通信部３０８と、衛星からの信号を受信するＧＰＳ（Global Positioning System）３０９とを備えている。
【００６６】
ＣＰＵ３０１は、携帯端末装置３００のシステムプログラムを実行する処理装置である。具体的には、ＣＰＵ３０１は、システムプログラムの実行に際して、ＲＡＭ３０２、補助メモリ３０４、タッチパネル３０６などからデータを受け取り、当該データに対して演算または加工を施した結果を、ＲＡＭ３０２、補助メモリ３０４、表示パネル３０５などに出力する。
【００６７】
ＲＡＭ３０２は、携帯端末装置３００における主記憶装置を構成するメモリであり、ＤＲＡＭ（Dynamic Random Access Memory）などによって構成される。
【００６８】
ＲＯＭ３０３は、システムプログラムの他、携帯端末装置３００の起動時やリセット時に実行されるＢＩＯＳ（Basic Input Output System）などの、携帯端末装置３００の動作に不可欠なプログラムを記憶している。
【００６９】
補助メモリ３０４は、アプリケーションプログラムを記憶するために設けられている。補助メモリ３０４は、例えばフラッシュメモリによって構成されている。
【００７０】
表示パネル３０５は、携帯端末装置３００の基本操作を実現するための画面、アプリケーションプログラムが実行された結果として表示される画面などを表示するために設けられている。表示パネル３０５としては、液晶表示パネル、ＥＬ（Electro-Luminescence）表示パネルなどの平板型表示パネルが用いられる。
【００７１】
タッチパネル３０６は、表示パネル３０５上に配置されており、表示パネル３０５に表示された画面上でのタッチ操作を受け入れて、タッチ操作信号を入力信号として出力する。
【００７２】
スピーカ３０７は、携帯端末装置３００の操作音、アプリケーションプログラムが実行された結果として出力される音声などを出力するために設けられている。
【００７３】
通信部３０８は、インターネット１０２を介した通信および携帯電話ネットワークを介した通信を行うための通信回路を含む部分である。
【００７４】
次に、携帯端末装置３００のシステム構成について説明する。図７に示すように、位置情報取得部３１１、帰宅時刻算出部３１２を有している。位置情報取得部３１１は、ＧＰＳ３０９が受信した衛星信号を当該携帯端末装置３００の位置情報として取得し、ＲＡＭ３０２に格納する。帰宅時刻算出部３１２は、ＲＡＭ３０２に格納された携帯端末装置３００の位置情報から、当該携帯端末装置３００の使用者が帰宅する時刻（帰宅時刻）を算出する。
【００７５】
算出した帰宅時刻は、通信部３０８を介して、加熱調理器１に送信される。
【００７６】
なお、帰宅時刻算出部３１２は、当該携帯端末装置３００の現在地が予め設定した領域に含まれている場合に帰宅時刻を算出する。この予め設定した領域は、携帯端末装置３００の使用者の自宅を中心とした略円状の領域とする。つまり、この領域は、自宅からの直線距離を指定することで設定することができる。この直線距離は、帰宅するまでの大凡の所要時間を目安に設定する。つまり、帰宅時刻を算出する地点から帰宅するまでの所要時間は、料理のメニューに応じて設定するのが好ましい。
【００７７】
（帰宅時刻算出処理）
図８は、携帯端末装置３００における帰宅時刻算出処理の流れを示すフローチャートである。
【００７８】
携帯端末装置３００は、現在地の位置情報を取得する（ステップＳ１１）。ここでは、位置情報取得部３１１が、ＧＰＳ３０９が受信した衛星からの信号から当該携帯端末装置３００の位置情報を取得する。
【００７９】
次に、位置情報取得部３１１は、取得した現在地の位置情報から当該携帯端末装置３００が予め設定した領域に含まれるか否かを判定し（ステップＳ１２）、含まれると判定した場合（Ｙｅｓ）、判定結果を帰宅時刻算出部３１２に送る。
【００８０】
ここで、外出を予定していた使用者が、予定を変更し、外出しなくなった場合（予め設定した領域から出ない場合）等を想定すると、使用者が予め設定した領域を出た後に当該携帯端末装置３００が予め設定した領域に含まれるか否かを判定するようにしても良いし、予約時刻の所定時間前から当該携帯端末装置３００が予め設定した領域に含まれるか否かを判定するようにしても良い。
【００８１】
一方、ステップＳ１２において、位置情報取得部３１１は、取得した現在地の位置情報から当該携帯端末装置３００が予め設定した領域に含まれると判定されない場合（Ｎｏ）、再度、ステップＳ１１に移行し、現在地の位置情報を取得する。
【００８２】
次に、帰宅時刻算出部３１２は、位置情報取得部３１１から携帯端末装置３００の位置が予め設定した領域に含まれているとの判定結果を受け取ると、帰宅時刻を算出する（ステップＳ１３）。ここで、帰宅時刻は、例えば以下のようにして算出する。ＲＡＭ３０２に予め自宅の位置情報を格納しておき、この自宅の位置情報と、携帯端末装置３００の位置情報とからおおよその距離を求め、この距離と使用者の移動速度から算出する。この場合の使用者の移動速度は、予め携帯端末装置３００に登録した移動速度を用いてもよいし、当該携帯端末装置３００の単位時間当たりの移動距離から予め求めた移動速度であってもよい。なお、帰宅時刻の算出の方法は、上記の限りではなく、他の方法であってもよい。
【００８３】
最後に、帰宅時刻算出部３１２は、算出した帰宅時刻を、通信部３０８を介して加熱調理器１に送信する（ステップＳ１４）。
【００８４】
（予約時刻変更処理）
図９は、加熱調理器１における予約時刻変更処理の流れを示すフローチャートである。
【００８５】
まず、調理制御部１２０は、携帯端末装置３００から送信された帰宅時刻を取得する（ステップＳ２１）。
【００８６】
次に、調理制御部１２０は、取得した帰宅時刻が予約時刻と異なるか否かを判定する（ステップＳ２２）。ここでは、取得した帰宅時刻と、ＲＡＭ１３に格納された予約時刻とを比較する。
【００８７】
ステップＳ２２において、帰宅時刻が予約時刻と異なれば（Ｙｅｓ）、ステップＳ２３に移行して、帰宅時刻が予約時刻よりも早いか否かを判定する。ここで、帰宅時刻が予約時刻よりも早い場合（Ｙｅｓ）、帰宅時刻を予約時刻に変更する（Ｓ２４）。変更した予約時刻は、予約設定部１１０に送られる。これにより、変更した予約時刻により調理が行なわれる。このため、帰宅時刻に合わせて調理が終了するので、使用者は調理終了後の暖かい料理を食すことができる。
【００８８】
一方、ステップＳ２３において、帰宅時刻が予約時刻よりも早くなければ（Ｎｏ）、帰宅時刻まで料理を保温する（ステップＳ２５）。つまり、帰宅時刻が予約時刻よりも早ければ、調理が終了した後で使用者が自宅に帰宅することになるため、使用者が帰宅するまでの間、調理後の料理を保温することで、使用者は暖かい料理を食すことができる。
【００８９】
また、ステップＳ２２において、帰宅時刻が予約時刻と同じであれば（Ｎｏ）、処理を終了する。つまり、設定された予約時刻により調理を行なう。
【００９０】
（効果）
以上のように、加熱調理器１の使用者の帰宅時刻に応じて、予約時刻を変更したり、料理を温め直したりすることで、使用者は帰宅後に、常に暖かい料理を食することができる。しかも、予約時刻の変更は、使用者の現在地に応じて自動的に行なわれるため、使用者は、急な予定変更があり帰宅時刻が変更しても、予約時刻を早めたり、調理済みの料理を温め直したりするための指示を能動的に行なう必要はない。従って、使用者は、帰宅後、意識すること無く予約調理した料理を帰宅後、暖かい状態で食すことができるという、利便性の高い加熱調理器１を提供することができる。
【００９１】
（予約時刻の変更受付け）
なお、ここまでの説明では、帰宅時刻が予約時刻よりも早い場合に、帰宅時刻を予約時刻に変更しても、変更後の予約時刻までに調理が完了する場合を想定している。例えば帰宅時刻が早すぎる場合には、予約調理する料理の調理時間によっては、変更後の予約時刻までに調理が終了しない虞がある。このような場合には、予約時刻の変更を行なわないようにしてもよい。具体的には以下のような処理を行なう。
【００９２】
加熱調理器１において、予約変更部１１３は、調理制御部１２０から受信した変更時刻データから、変更時刻の受け付けが可能であるか否かを判定する。予約変更部１１３は、具体的には、以下のように（１）〜（３）のそれぞれの場合に規定される時間範囲に変更時刻があるか否かで、変更時刻の受け付けが可能であるか否かを判定する。また、予約変更部１１３は、（４）の場合には、予約変更の可能な時間範囲外であるため、変更を受け付けない。加熱限界時刻は、予約開始時刻から、加熱せずに保温状態を維持したまま食材が傷まない限界の時間（例えば１２時間）後の時刻である。
【００９３】
（１）加熱調理終了時刻まで１時間以上ある場合
加熱調理終了時刻から加熱限界時刻までの時間範囲
（２）加熱調理終了時刻まで１時間未満である場合
現在時刻から１時間後より加熱限界時刻までの時間範囲
（３）加熱調理終了時刻から変更締切時刻（予約時刻の３０分前）まで
現在時刻から１時間後より加熱限界時刻までの時間範囲
（４）変更締切時刻以降である場合
変更不可
例えば、朝７時に予約時刻１４時で予約（加熱調理終了時刻：１０時）を開始した場合、予約時刻の変更が受け付け可能となるのは、７時から１３時３０分までである。
【００９４】
ここで、現在時刻７時３０分に予約時刻を変更する場合、加熱調理終了時刻と現在時刻との差が１時間以上であることから、（１）の場合に相当するので、予約時刻の変更可能範囲は、１０時から１９時までとなる。
【００９５】
また、現在時刻９時２０分に予約時刻を変更する場合、加熱調理終了時刻と現在時刻との差が１時間未満であることから、（２）の場合に相当するので、予約時刻の変更可能範囲は、１０時２０分から１９時までとなる。
【００９６】
さらに、現在時刻１１時に予約時刻を変更する場合、（３）の場合に相当するので、予約変時刻の変更更可範囲は、１２時から１９時までとなる。
【００９７】
予約変更部１１３は、変更時刻の変更が不可であると判定した場合、変更不可通知を生成する。一方、変更時刻の受け付けが可能であると判定した場合、ＲＡＭ１３における時刻データＴＤの予約時刻を変更時刻に書き替える。
【００９８】
また、本実施形態では、携帯端末装置３００における帰宅時刻算出のトリガを、使用者が予め設定した領域内に入った場合としたが、これに限定されるものではなく、使用者の自宅から目的とする場所（例えば会社）までのルートを設定し、設定したルートから外れた場合としてもよい。これは、設定したルートから外れるということは、帰宅時刻に変更が生じる可能性が高いためである。
【００９９】
また、携帯端末装置３００における帰宅時刻算出のトリガを、帰宅ルートを設定しておき、所定の間隔で自装置の位置情報を取得し、位置情報が連続して設定した帰宅ルートにある場合としてもよい。
【０１００】
以下に、帰宅時刻算出のトリガをルートにした場合の例について説明する。
【０１０１】
（変形例）
本変形例では、前記実施形態１と同じ加熱調理器１を用いる。本変形例の加熱調理器１では、携帯端末装置３００の位置情報取得部３１１によって所定の間隔で自装置の複数の位置情報（経度、緯度、取得時刻等）を取得し、取得した複数の位置情報を帰宅時刻算出部３１２に送る。帰宅時刻算出部３１２は、取得した複数の位置が予め設定したルートに含まれていない場合、最後に自装置の位置を取得した時刻から加熱調理器１が設置された屋内（自宅）に戻る帰宅時刻を算出し、当該加熱調理器１に送信する。
【０１０２】
このように、使用者が帰宅する際に、予め設定したルートから外れた場合、携帯端末装置３００が帰宅時刻を算出し、加熱調理器１に帰宅時刻を送信する。帰宅時刻が送信された加熱調理器１は、前記実施形態と同じように、帰宅時刻と予約時刻との比較を行ない、帰宅時刻が予約時刻よりも早ければ、帰宅時刻を予約時刻に変更し、帰宅時刻が予約時刻よりも遅ければ、使用者が帰宅する帰宅時刻まで、調理済みの料理を保温し続ける。
【０１０３】
これにより、使用者は意識すること無く予約調理した料理を帰宅後、暖かい状態で食すことができるという、利便性の高い加熱調理器１を提供することができる。
【０１０４】
前記実施形態１および変形例では、加熱調理器１を用いて予約調理を行なう場合について説明したが、下記の実施形態２においては、予約調理ではなく、使用者が調理場に居る状態で加熱調理器を用いて調理を行なう場合について説明する。
【０１０５】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【０１０６】
まず、本実施形態に係る通信システムの概略構成について説明する。
【０１０７】
（通信システム）
図１０は、本実施形態に係る通信システムの構成を示すブロック図である。図１０に示すように、通信システムは、加熱調理器１Ａと、クラウドサーバ２００Ａ（サーバ）と、無線ＬＡＮアクセスポイント１０１と、インターネット１０２（通信ネットワーク）とを含んで構成されている。
【０１０８】
加熱調理器１Ａは、建屋４００内に設置され、無線ＬＡＮ（Local Area Network）に接続して通信を行う機能を備え、建屋４００内に設置された無線ＬＡＮアクセスポイント１０１を介して、クラウドサーバ２００Ａと通信可能となっている。クラウドサーバ２００Ａは、インターネット１０２を介して各種の情報（広告等）を加熱調理器１Ａに送信するようになっている。
【０１０９】
続いて、加熱調理器１Ａについて詳細に説明する。
【０１１０】
（加熱調理器１Ａ）
図１１は、加熱調理器１Ａの外観の構成を示す斜視図である。加熱調理器１Ａは、図１１に示すように、本体部２Ａと、前扉３Ａと、加熱調理器１Ａの近くに人が居ることを検知する人感センサ４Ａと、加熱調理器１Ａの正面に居る人の顔を撮像するカメラ４Ｂとを備えている。
【０１１１】
本体部２Ａは、前面が開口され、前扉３Ａが当該開口の開閉を行なうように設けられている。本実施形態では、前扉３Ａは、本体部２Ａの下部で回動可能に指示され、上部を手前に引くことで当該本体部２Ａの開口を開放状態にしたり、開口を閉塞状態にしたりするようになっている。
【０１１２】
また、本体部２Ａの正面には、前扉３Ａの他に、加熱調理器１Ａの操作を行なうための操作表示部３４Ａが設けられている。操作表示部３４Ａには、操作結果や各種の情報を表示するための表示パネル３４１Ａが設けられている。
【０１１３】
（制御系）
続いて、加熱調理器１Ａの制御系について説明する。図１２は、加熱調理器１Ａの制御系の構成を示すブロック図である。
【０１１４】
図１２に示すように、加熱調理器１Ａは、制御系の主要部として、前記実施形態１の加熱調理器１と同様に、ＣＰＵ１１と、ＲＯＭ（Read Only Memory）１２と、ＲＡＭ（Random Access Memory）１３とを備えている。また、加熱調理器１Ａは、回転テーブル３３Ａを回転させるモータ９を駆動するモータ駆動回路１４と、スピーカ１０を駆動するスピーカ駆動回路１５と、時計回路１６と、通信部１７と、人感センサ４Ａ、カメラ４Ｂを備えている。
【０１１５】
ＣＰＵ１１は、ＲＯＭ１２に格納された制御プログラムを実行することによって、各部を制御する。具体的には、ＣＰＵ１１は、操作表示部３４Ａの表示制御、操作表示部３４Ａへの操作の受け付け、誘導コイル５のオン・オフ制御および温度制御、モータ駆動回路１４およびスピーカ駆動回路１５の駆動制御、通信部１７の制御などを行なう。
【０１１６】
モータ駆動回路１４は、ＣＰＵ１１から出力される駆動データに基づいてモータ９に印加する駆動電圧を生成する。また、スピーカ駆動回路１５は、ＣＰＵ１１から出力されるデジタルの音声データをアナログの音声信号に変換するＡ／Ｄ変換器、音声信号を増幅するアンプなどを含む回路である。時計回路１６は、現在時刻を提供するために設けられている。通信部１７は、無線ＬＡＮによる通信を行うための通信回路を含む部分である。
【０１１７】
人感センサ４Ａは、加熱調理器１Ａの近くに居る人の動作を検出する。人感センサ４Ａは、例えば焦電式センサなどからなる。人感センサ４Ａが焦電式センサの場合、人感センサ４Ａは、人体が動くことで生じる熱（赤外線量）の変化をとらえて信号を出力する。人感センサ４Ａからの信号は、例えば、人検知「無」の場合はＬｏｗレベルの信号を、人検知「有」の場合はＨｉｇｈレベルの信号を、情報出力制御部１１Ａに出力する。ここで、人検知「無」とは、人感センサ４Ａが人を検知していないこと、すなわち、加熱調理器１Ａの周囲に人が居ないことを示す。人検知「有」とは、人感センサ４Ａが人を検知していること、すなわち、加熱調理器１Ａの周囲に人が居ることを示す。なお、人感センサ４Ａとしては、焦電式センサ以外の他の方式のセンサであってもよい。
【０１１８】
カメラ４Ｂは、表示パネル３４１Ａに近接して設けられたＣＣＤ（charge-coupled device）からなる撮像素子であり、撮像方向が当該表示パネル３４１Ａの表示面を使用者が見る方向と略平行になるように調整されている。つまり、表示パネル３４１Ａを見ているか、あるいは当該表示パネル３４１Ａに向いている使用者の顔をほぼ正面から撮像できる位置にカメラ４Ｂが設けられている。
【０１１９】
（加熱調理器１Ａのシステム構成）
次に、加熱調理器１Ａのシステム構成について説明する。
【０１２０】
図１３は、加熱調理器１Ａのシステム構成を示すブロック図である。図１３に示すように、加熱調理器１ＡのＣＰＵ１１は、表示パネル３４１Ａに表示すべき情報を出力する情報出力制御部１１Ａと、加熱調理器１Ａの正面に居る人を認識する人認識処理部１１Ｂとを含んでいる。
【０１２１】
情報出力制御部１１Ａは、人感センサ４Ａからの人検知「有」を示す信号を受信すると、通信部１７を介してクラウドサーバ２００Ａから任意の情報を取得し、取得した情報を表示パネル３４１Ａに表示させる。ここで、任意の情報とは、商品に関する広告情報であってもよいし、あるいはニュース、天気などの情報であってもよい。また、使用者の趣味や嗜好に合った情報（広告等）であってもよい。
【０１２２】
また、表示パネル３４１Ａに表示される情報に音声データが含まれている場合には、スピーカ１０によって音声を再生するようにしてもよい。
【０１２３】
なお、表示パネル３４１Ａおよびスピーカ１０に出力する情報は、随時クラウドサーバ２００Ａから取得してもよいし、クラウドサーバ２００Ａから取得した情報をＲＡＭ１３に格納しておき、ＲＡＭ１３から取得してもよい。
【０１２４】
人認識処理部１１Ｂでは、カメラ４Ｂによって撮像された人の顔画像から年齢、性別を判断し、判断した結果を情報出力制御部１１Ａに送るようになっている。情報出力制御部１１Ａでは、年齢、性別に応じた広告をクラウドサーバ２００Ａから取得し、表示パネル３４１Ａに表示させる。
【０１２５】
なお、人認識処理部１１Ｂは、カメラ４Ｂによって撮像された人の顔画像から、使用者を特定するようにしてもよい。この場合、加熱調理器１Ａを使用する使用者毎に顔認証用の顔画像データを登録しておき、カメラ４Ｂによって撮像された人の顔画像から、登録された顔画像のうちどの顔画像に一致しているかを判断し、使用者を特定している。つまり、加熱調理器１Ａを使用する使用者が複数存在する場合、現在、どの使用者が加熱調理器１Ａの周囲にいるかを特定できる。
【０１２６】
従って、特定した使用者に応じた情報をクラウドサーバ２００から取得して、表示パネル３４１Ａに表示させるようにしてもよい。
【０１２７】
（広告表示処理）
ここで、表示パネル３４１Ａに表示する情報として広告を表示する際の処理について、図１４に示すフローチャートを参照しながら以下に説明する。
【０１２８】
まず、加熱調理器１Ａは、最新広告有か否かを判定する（ステップＳ３１）。ここでは、情報出力制御部１１Ａが、通信部１７を介してクラウドサーバ２００Ａに最新の広告が有るか否かを確認する。最新の広告があれば（Ｙｅｓ）、クラウドサーバ２００Ａより最新広告を取得し（ステップＳ３２）、人検知の有無を判定する（ステップＳ３３）。一方、最新の広告がなければ（Ｎｏ）、そのままステップＳ３３に移行する。
【０１２９】
ステップＳ３３では、情報出力制御部１１Ａは、人感センサ４Ａから人検知「有」を示す信号の受信の有無を判定し、受信した場合（Ｙｅｓ）、表示パネル３４１Ａに広告を表示させ（ステップＳ３４）、受信していない場合（Ｎｏ）、再度、ステップＳ３１に移行して、最新広告の有無を判定する。
【０１３０】
このように、加熱調理器１の周囲に人が居るときに、現時点で最新の広告を表示パネル３４１Ａに表示させる。
【０１３１】
表示パネル３４１Ａに広告を表示させる場合には、ＲＡＭ１３に格納している情報を順番に、またはランダムに表示させてもよい。
【０１３２】
なお、人感センサ４Ａによって加熱調理器１Ａの近くに使用者が居ることが検知された状態であっても、使用者は加熱調理器１Ａの正面、特に表示パネル３４１Ａ側に向いているとは限らない。このような場合、表示パネル３４１Ａに表示する広告に音声が含まれていれば、表示パネル３４１Ａに表示された広告を消し、スピーカ１０から音声のみを出力するようにしてもよい。具体的には、カメラ４Ｂによる撮像データを用いて、人認識処理部１１Ｂは、加熱調理器１Ａの正面に使用者が居るか否かを判断し、判断結果を情報出力制御部１１Ａに送る。情報出力制御部１１Ａは、受け取った判断結果から、使用者が正面に居ない場合、表示パネル３４１Ａの表示を消して、スピーカ１０から音声のみを出力する。
【０１３３】
また、広告は、加熱調理器１Ａの調理中に表示することが好ましいが、調理中でなくても、当該加熱調理器１Ａの近くに使用者が居れば表示してもよい。
【０１３４】
（効果）
以上のように、加熱調理器１Ａは、人感センサ４Ａを備え、人が当該加熱調理器１Ａの近くにいると判断した場合、クラウドサーバ２００Ａからダウンロードした広告を表示パネル３４１Ａに表示するので、当該加熱調理器１Ａの使用者に対して効果的に広告を認識させることができる。
【０１３５】
しかも、加熱調理器１Ａの使用者の趣味や嗜好を登録しておくことで、趣味や嗜好に応じた情報を表示パネル３４１Ａに表示することもできる。
【０１３６】
また、画像認識の技術を用いて、加熱調理器１Ａの近くに居る人の年齢、性別を判断し、判断した年齢、性別に応じた広告を表示パネル３４１Ａに表示することで、各自に最適な広告等の各種情報を提供することができる。
【０１３７】
なお、前記実施形態１，２においては、加熱調理器１、加熱調理器１Ａは、音声認識技術を用いた操作機能について言及していないが、音声認識技術を用いて加熱調理器を操作することも考えられる。この場合、音声認識による操作を適切に行うために、使用者の声を適切に認識する必要がある。つまり、マイクによる集音効率を上げる必要がある。この点について、下記の実施形態３において説明する。
【０１３８】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【０１３９】
（加熱調理器１Ｂの外部の構成）
図１５の（ａ）は、本実施形態の加熱調理器１Ｂの平面図、図１５の（ｂ）は、図１５の（ａ）のＸ・Ｘ線矢視断面図である。
【０１４０】
図１５に示すように、本実施形態の加熱調理器１Ｂは、本体部２Ａ、前扉３Ａを備えている。前扉３Ａは、加熱調理器１Ｂの前面部に設けられ、下部を中心として回転し、調理室内を開閉する。前扉３Ａには、取手２１Ａ、覗窓２２Ａおよび調理用ダイヤル２３Ａが設けられている。取手２１Ａは、前扉３Ａの上部に設けられ、前扉３Ａを開閉する際にユーザが操作する。覗窓２２Ａは、前扉３Ａの中央部に設けられ、ユーザが調理室内を覗くためのものである。調理用ダイヤル２３Ａは、覗窓２２Ａの側方に設けられ、加熱調理器１Ｂにて食品を調理する際に、ユーザが操作して各種設定を行うための操作部である。
【０１４１】
さらに、加熱調理器１Ｂの下方には、使用者の音声を集音するためのマイク５０が設けられている。このマイク５０は、加熱調理器１Ｂにおいて音声による各種操作を行なうために、使用者の音声を集音する。なお、図示しないが加熱調理器１Ｂには、マイク５０にて集音した音声を認識する音声認識部と、音声認識部によって認識された音声から操作指示内容を特定する操作指示内容特定部とを含む制御回路が備えられている。
【０１４２】
マイク５０は、図１５の（ｂ）に示すように、集音部がセット下面２Ａａ側を向くように配置されている。なお、この配置では、マイク５０の集音効率が悪くなる。このため、マイク５０の周囲に、図１６に示すように、セット下面２Ａａを構成する部品（底板、前後足等）にて略コ字状の遮音壁５１を形成し、セット前面２Ａｂに開口を設けることで集音効率を上げるようにしている。
【０１４３】
なお、マイク５０は、加熱調理器１Ｂにおける給気口の部分に設けられている。これによっても、マイク５０の集音効率が上がる。
【０１４４】
（効果）
このように、マイク５０の集音部をセット下面２Ａａに向くように配置することで、当該マイク５０の前面の本体部２の筐体に形成された穴を拡大することが可能となり、その結果、集音効率をさらに改善することができる。
【０１４５】
また、上記配置にすることで、セット前面２Ａｂへの穴が不要となり、注水等のリスクを軽減できる。つまり、従来、注水等のリスクを回避するために、マイク５０の集音部に設けた防水フィルタが不要になる。
【０１４６】
さらに、図１６に示すように、同じ配置でマイク５０と並列してスピーカ１０を設置することで、遮音壁５１と床面の反響を利用して、マイク５０の音量の増幅が図れるとともに、使用者側（セット前面２Ａｂ方向）に指向性を持たせた音声を出力できる。
【０１４７】
なお、前記実施形態１〜３では、加熱調理器を単独で用いた例について説明したが、以下の実施形態４では、複数の加熱調理器（電子レンジ、炊飯器、電気鍋等）を使用したときの電力容量オーバーによるブレーカーが落ちるのを防ぐための消費電力の制御について説明する。
【０１４８】
〔実施形態４〕
本発明の他の実施形態について説明すれば、以下のとおりである。なお、説明の便宜上、前記実施形態にて説明した部材と同じ機能を有する部材については、同じ符号を付記し、その説明を省略する。
【０１４９】
（家電システム）
図１７は、家電として、３つの加熱調理器５０１Ａ、５０１Ｂ、５０１Ｃが互いに通信可能な状態を示す家電システムの概略構成図である。
【０１５０】
本実施形態に係る家電システムでは、加熱調理器５０１Ａ、５０１Ｂ、５０１Ｃがそれぞれ通信機能を有し、互いにシーケンス制御情報の送受信を行えるようになっている。シーケンス制御情報は、自装置で行なっている電力のＯＮ・ＯＦＦのタイミングを示す情報であり、装置毎に異なり、また、自装置であっても実行する処理の内容によっても異なる。また、以下では、説明の便宜上、加熱調理器５０１Ａ、５０１Ｂ、５０１Ｃの構造が同じ部分を加熱調理器５０１として説明する。
【０１５１】
（加熱調理器５０１）
図１８は、加熱調理器５０１のシステム構成を示すブロック図である。図１８に示すように、加熱調理器５０１は、電力制御部５１１と、記憶部５１２と、通信部５１３とを備えている。
【０１５２】
電力制御部５１１は、自装置において現時点で実行している処理のシーケンス制御情報を、通信部５１３を介して他の加熱調理器５０１に出力するシーケンス出力部５２１と、通信部５１３を介して他の加熱調理器５０１から送られたシーケンス制御情報と、自装置における現時点で実行している処理のシーケンス制御情報とを比較するシーケンス比較部５２２と、シーケンス比較部５２２による比較結果に基づいて適切な消費電力となるように電力のＯＮ・ＯＦＦのタイミングを調整するタイミング調整部５２３とを含んでいる。
【０１５３】
シーケンス出力部５２１は、現時点で実行している自装置のシーケンス制御情報を、通信部５１３を介して他の加熱調理器５０１に出力する。
【０１５４】
シーケンス比較部５２２は、通信部５１３を介して他の加熱調理器５０１から送られたシーケンス制御情報と、現時点で実行している自装置のシーケンス制御情報とを比較し、比較結果をタイミング調整部５２３に出力する。
【０１５５】
タイミング調整部５２３は、シーケンス比較部５２２による比較結果に基づいて適切な消費電力となるように自装置の電力のＯＮ・ＯＦＦのタイミングを調整する。
【０１５６】
従って、複数の加熱調理器（例えば炊飯器とレンジ等）を同時に使用した時に、炊飯器の電力がＯＮ時に、レンジの電力をＯＦＦにし、または、炊飯器の電力がＯＦＦ時に、レンジの電力をＯＮにするように、それぞれの機器同士が連携しながら、総電力容量がオーバーしないように自動調整することが可能となる。
【０１５７】
（効果）
上記構成によれば、複数の加熱調理器を使用したとしても、互いに電力制御を自動で行なうため、電力容量オーバーによるブレーカーが落ちることを回避することができる。
【０１５８】
〔ソフトウェアによる実現例〕
加熱調理器１の制御ブロック（特に加熱調理器１１０および調理制御部１２０）は、集積回路（ＩＣチップ）等に形成された論理回路（ハードウェア）によって実現してもよいし、ＣＰＵ（Central Processing Unit）を用いてソフトウェアによって実現してもよい。
【０１５９】
後者の場合、加熱調理器１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１６０】
〔まとめ〕
本発明の態様１に係る加熱調理器は、屋内（建屋４００）に設置され、通信ネットワーク（インターネット１０２）を介してサーバ（クラウドサーバ２００）と通信可能に接続される加熱調理器１であって、指定されたメニューの調理の終了を規定する予約時刻を設定する予約設定部１１０と、上記サーバ（クラウドサーバ２００）を介して上記加熱調理器１に予め登録された使用者の帰宅時刻を取得し、取得した帰宅時刻と、上記予約設定部１１０によって設定された予約時刻とがずれている場合、上記予約設定部１１０への予約時刻の変更の指示または完成した料理を保温する保温機能を実行する調理制御を行なう調理制御部１２０と、を備えている。
【０１６１】
上記の構成によれば、サーバを介して加熱調理器に予め登録された使用者の帰宅時刻を取得し、取得した帰宅時刻と、設定された予約時刻とがずれている場合、予約時刻の変更または完成した料理の保温を実行することで、現在時刻と予約時刻とのずれ方（現在時刻が予約時刻より早い場合、現在時刻が予約時刻よりも遅い場合）に応じた調理を行なうことが可能となる。
【０１６２】
これにより、予約調理をして外出した場合に、帰宅時刻と予約時刻とがずれた場合であっても、使用者は調理済みの料理を常に暖かいうちに直ぐに食することを可能にしている。
【０１６３】
本発明の態様２に係る加熱調理器は、上記態様１において、上記調理制御部１２０は、取得した帰宅時刻が、上記予約設定部１１０によって設定された予約時刻よりも早い場合、取得した上記帰宅時刻を、上記予約設定部１１０に対して新たな予約時刻として設定させてもよい。
【０１６４】
上記の構成によれば、帰宅時刻が予約時刻よりも早い場合、取得した帰宅時刻を新たな予約時刻として設定することで、帰宅時刻が調理終了の時刻となる。従って、使用者は、帰宅後、直ぐに暖かい料理を食することができる。
【０１６５】
本発明の態様３に係る加熱調理器は、上記態様１または２において、上記調理制御部１２０は、取得した帰宅時刻が、上記予約設定部１１０によって設定された予約時刻よりも遅い場合、上記帰宅時刻まで、調理終了の料理を保温するための上記保温機能を実行してもよい。
【０１６６】
上記構成によれば、帰宅時刻が予約時刻よりも遅い場合、帰宅時刻まで、調理終了の料理が保温されるので、使用者は帰宅後、暖かい料理を食することができる。
【０１６７】
本発明の態様４に係る携帯端末装置は、通信ネットワーク（インターネット１０１）を介してサーバ（クラウドサーバ２００）と通信可能で、且つ自装置の位置を示す位置情報を取得する位置情報取得部３１１を備え、上記態様１〜３の何れか１態様の加熱調理器と上記サーバ（クラウドサーバ２００）を介して通信可能な携帯端末装置であって、上記位置情報取得部３１１によって取得した自装置の位置が、予め設定した領域内に含まれている場合に、現在の時刻から上記加熱調理器が設置された屋内に戻る帰宅時刻を算出する帰宅時刻算出部３１２を備え、上記帰宅時刻算出部３１２によって算出された帰宅時刻を、当該加熱調理器に送信することを特徴としている。
【０１６８】
本発明の態様５に係る携帯端末装置は、通信ネットワーク（インターネット１０１）を介してサーバ（クラウドサーバ２００）と通信可能で、且つ自装置の位置を示す位置情報を取得する位置情報取得部３１１を備え、上記態様１〜３の何れか１態様の加熱調理器と上記サーバ（クラウドサーバ２００）を介して通信可能な携帯端末装置であって、上記位置情報取得部３１１によって所定の間隔で取得した自装置の複数の位置が、予め設定したルートに含まれていない場合、最後に自装置の位置を取得した時刻から上記加熱調理器が設置された屋内（建屋４００）に戻る帰宅時刻を算出する帰宅時刻算出部３１２を備え、上記帰宅時刻算出部３１２によって算出された帰宅時刻を、当該加熱調理器に送信することを特徴としている。
【０１６９】
上記構成によれば、自装置の位置情報から得られる帰宅時刻を使用者の自宅の加熱調理器に送信することで、自宅の加熱調理器は予約調理の制御を行なうことができる。これにより、使用者が意識することなく、自宅の加熱調理器の予約調理の制御が行なわれるため、使用者は何も操作することなく帰宅すれば調理済みの暖かい料理を食することができる。
【０１７０】
本発明の態様６に係る加熱調理器は、上記態様１〜３の何れか１態様において、上記加熱調理器の周囲であって、予め設定された範囲内で人の動作を検出する人感センサ４Ａと、上記人感センサ４Ａによって人の動作を検出したとき、所定の情報を報知する報知部（情報出力制御部１１Ａ、表示パネル３４１Ａ）と、をさらに備えていてもよい。
【０１７１】
上記構成によれば、加熱調理器の近くに人が居る場合に、所定の情報を報知することで、当該加熱調理器の近くに居る人に対して情報が報知されることになる。報知する情報としては下記の態様７，８に示す情報であってもよい。
【０１７２】
本発明の態様７に係る加熱調理器は、上記態様６において、上記報知部（情報出力制御部１１Ａ、表示パネル３４１Ａ）が報知する情報は、上記加熱調理器を使用する使用者の趣味や嗜好に合わせた情報である。
【０１７３】
本発明の態様８に係る加熱調理器は、上記態様６または７において、記報知部（情報出力制御部１１Ａ、表示パネル３４１Ａ）が報知する情報は、画像情報、音声情報の少なくとも一方の情報である。
【０１７４】
上記情報に画像情報、音声情報の両方が含まれている場合、報知する情報としては、何れか一方のみであってもよい。例えば、加熱調理器の正面、すなわち画像情報を表示する側に使用者が向いていない場合には、音声情報のみを報知するようにする。
【０１７５】
本発明の態様９に係る加熱調理器は、上記態様１〜３，６〜８の何れか１態様において、音声を入力するためのマイク５０を備え、加熱調理器の底面に形成される空間に集音部が露出するように上記マイク５０が配置され、当該底面に、配置されたマイクによりも正面（セット前面２Ａｂ）側が開放されるように、当該マイク周囲を囲む遮音壁５１が形成されていてもよい。
【０１７６】
上記構成によれば、マイクが加熱調理器の底面に形成される空間に集音部が露出するように配置され、当該加熱調理器の正面（セット前面２Ａｂ）側が開放されるように、当該マイク周囲を囲む遮音壁５１が形成されていることで、当該マイクによる集音効率を向上させることができる。
【０１７７】
本発明の態様１０に係る加熱調理器は、上記態様１〜３，６〜８の何れか１態様において、屋内に設置された他の電子機器（加熱調理器５０１Ａ、５０１Ｂ，５０１Ｃ）と通信するための通信部５１３と、上記通信部５１３により他の電子機器（加熱調理器５０１Ａ、５０１Ｂ，５０１Ｃ）の電力消費シーケンス情報を受信し、受信した他の電子機器の電力消費シーケンス情報を考慮して、屋内で消費される総電力量の上限を超えないように、自装置の電力消費シーケンスを調整する調整部（電力制御部５１１）と、をさらに備えていてもよい。
【０１７８】
上記構成によれば、複数の加熱調理器を使用したとしても、互いに電力制御を自動で行なうため、電力容量オーバーによるブレーカーが落ちることを回避することができる。
【０１７９】
本発明の各態様に係る加熱調理器は、コンピュータによって実現してもよく、この場合には、コンピュータを上記加熱調理器が備える各部（ソフトウェア要素）として動作させることにより上記加熱調理器をコンピュータにて実現させる加熱調理器装置の制御プログラム、およびそれを記録したコンピュータ読み取り可能な記録媒体も、本発明の範疇に入る。
【０１８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１８１】
１、１Ａ、１Ｂ  加熱調理器
４Ａ  人感センサ
４Ｂ  カメラ
１１  ＣＰＵ
１１Ａ  情報出力制御部
１１Ｂ  人認識処理部
１２  ＲＯＭ
１３  ＲＡＭ
３４  操作表示部
３４Ａ  操作表示部
５０  マイク
５１  遮音壁
１０１  無線ＬＡＮアクセスポイント
１０２  インターネット（通信ネットワーク）
１０３  データ通信ネットワーク
１０４  基地局
１１０  予約設定部
１１１  予約受付部
１１２  予約登録部
１１３  予約変更部
１２０  調理制御部
１２１  時間管理部
２００  クラウドサーバ（サーバ）
２００Ａ  クラウドサーバ（サーバ）
３００  携帯端末装置
３０８  通信部
３０９  ＧＰＳ
３１１  位置情報取得部
３１２  帰宅時刻算出部
３４１  表示パネル
３４１Ａ  表示パネル
４００  建屋（屋内）
５０１、５０１Ａ  加熱調理器
５１１  電力制御部
５１３  通信部
５２１  シーケンス出力部
５２２  シーケンス比較部
５２３  タイミング調整部
【図１】
2019000162.tif 000003
【図２】
2019000162.tif 000004
【図３】
2019000162.tif 000005
【図４】
2019000162.tif 000006
【図５】
2019000162.tif 000007
【図６】
2019000162.tif 000008
【図７】
2019000162.tif 000009
【図８】
2019000162.tif 000010
【図９】
2019000162.tif 000011
【図１０】
2019000162.tif 000012
【図１１】
2019000162.tif 000013
【図１２】
2019000162.tif 000014
【図１３】
2019000162.tif 000015
【図１４】
2019000162.tif 000016
【図１５】
2019000162.tif 000017
【図１６】
2019000162.tif 000018
【図１７】
2019000162.tif 000019
【図１８】
2019000162.tif 000020